(57)【要約】【課題】同一の電極配置をもつ電子機器であっても、挿入可能、不可能の区別ができる電子機器保持用ソケットを提供する。【解決手段】紫外線検出器３が挿入される凹部１７を有し、紫外線検出器３を前記凹部１７に挿入された状態で着脱可能に保持する筐体１１を備える。紫外線検出器３の電極部に一端が接触して導通するとともに他端が筐体１１から導出された導電部を備える。前記凹部１７には、紫外線検出器３に形成された凹溝８に挿入される第１〜第４の突起２１〜２４が設けられている。【選択図】  図５
2012079452.tif 000002
【特許請求の範囲】
【請求項１】
少なくとも一端面上に電極部を有する電子機器のうち、少なくとも前記電極部が位置する端部が挿入される凹部を有し、前記電子機器を前記凹部に挿入された状態で着脱可能に保持する筐体と、
前記電子機器の電極部に一端が接触して導通するとともに他端が前記筐体から導出された導電部とを備え、
前記凹部には、電子機器に形成された収容部に挿入される突起部が設けられていることを特徴とする電子機器保持用ソケット。
【請求項２】
請求項１記載の電子機器保持用ソケットにおいて、前記凹部は円形孔によって形成され、
前記突起部は、前記凹部の内周部に設けられた突起によって構成されていることを特徴とする電子機器保持用ソケット。
【請求項３】
請求項１または請求項２に記載の電子機器保持用ソケットにおいて、前記突起部は、前記凹部における電子機器の先端面と対向する底部に設けられた突起によって構成されていることを特徴とする電子機器保持用ソケット。
【請求項４】
請求項１ないし請求項３のうちいずれか一つに記載の電子機器保持用ソケットにおいて、前記突起部は複数の突起によって構成され、
これらの突起は、前記凹部を開口側から見て回転対称とはならない位置に設けられていることを特徴とする電子機器保持用ソケット。
【請求項５】
請求項１ないし請求項４のうちいずれか一つに記載の電子機器保持用ソケットにおいて、前記凹部には、電子機器の複数のピン状電極が挿入される孔が設けられ、
前記孔は、前記電子機器とは異なる種類の電子機器と互換性を有する位置に配設されていることを特徴とする電子機器保持用ソケット。
【請求項６】
請求項１ないし請求項５のうちいずれか一つに記載の電子機器保持用ソケットに電子機器として紫外線検出器を保持させて構成され、
前記紫外線検出器における前記筐体内に挿入される部分の外壁面に前記収容部が設けられていることを特徴とする火炎センサ。
【発明の詳細な説明】
【技術分野】
【０００１】
本発明は、接続可能な電子機器を制限する突起部を備えた電子機器保持用ソケットおよびこのソケットを用いて構成された火炎センサに関するものである。
【背景技術】
【０００２】
従来、電子機器をその一部が挿入された状態で保持する電子機器保持用ソケットとしては、たとえば特許文献１に記載されているものがある。特許文献１に開示されている電子機器保持用ソケットは、円柱状に形成された電子機器の一端部を挿入できるように円形の凹陥部を有している。電子機器は、前記一端部に複数のピン状の電極端子と、位置決め用のピンとを備えている。前記凹陥部の底には、これらの電極端子と位置決め用ピンとを挿入するための複数の孔が形成されている。この孔に挿入された電極端子は、ソケット内の接触端子に電気的に接続され、この接触端子を有する導電部を介して制御装置などに接続される。
【０００３】
この特許文献１に示す電子機器保持用ソケットにおいては、前記位置決めピンがソケットの前記孔に挿入されることによって、複数の電極端子が正しい位置に位置付けられ、ソケット内の接触端子に極性が正しくなるように接続される。
ところで、特許文献１に開示されている紫外線検出器のような電子機器は、ソケットを共通化できるように、電極端子や位置決めピンの位置が同一となるように形成されることが多い。このため、従来の電子機器保持用ソケットは、形式が異なる電子機器であっても接続することが可能である。
【先行技術文献】
【特許文献】
【０００４】
【特許文献１】特開２００６−７８３９９号公報
【発明の概要】
【発明が解決しようとする課題】
【０００５】
上述したように構成された従来の電子機器保持用ソケットでは、電子機器として、機能的には旧型と同じであっても信号レベルや種類に互換性がない新型の電子機器を使用するような場合に後述するような問題が生じる。このような旧型の電子機器とは互換性のない新型の電子機器を従来のソケットに挿入して使用できるようにするためには、制御装置が新型の電子機器と対応するものと交換される。
【０００６】
しかし、このように従来のソケットをそのまま使用したのでは、ソケットに誤って旧型の電子機器が装着されるおそれがある。この場合は、旧型の電子機器を正常に動作させることはできない。
このため、新型の電子機器を装着できる構成を採りながら、旧型の電子機器は装着できないような電子機器保持用ソケットが要請されている。
【０００７】
本発明はこのような要請に応えるためになされたもので、同一の電極配置をもつ電子機器であっても、挿入可能、不可能の区別ができる電子機器保持用ソケットおよびこれを用いた火炎センサを提供することを目的とする。
【課題を解決するための手段】
【０００８】
この目的を達成するために、本発明に係る電子機器保持用ソケットは、少なくとも一端面上に電極部を有する電子機器のうち、少なくとも前記電極部が位置する端部が挿入される凹部を有し、前記電子機器を前記凹部に挿入された状態で着脱可能に保持する筐体と、前記電子機器の電極部に一端が接触して導通するとともに他端が前記筐体から導出された導電部とを備え、前記凹部には、電子機器に形成された収容部に挿入される突起部が設けられているものである。
【０００９】
本発明は、前記発明において、前記凹部は円形孔によって形成され、前記突起部は、前記凹部の内周部に設けられた突起によって構成されているものである。
本発明は、前記発明において、前記突起部は、前記凹部における電子機器の先端面と対向する底部に設けられた突起によって構成されているものである。
本発明は、前記発明において、前記突起部は複数の突起によって構成され、これらの突起は、前記凹部を開口側から見て回転対称とはならない位置に設けられているものである。
【００１０】
本発明は、前記発明において、前記凹部には、電子機器の複数のピン状電極が挿入される孔が設けられ、前記孔は、前記電子機器とは異なる種類の電子機器と互換性を有する位置に配設されているものである。
本発明に係る火炎センサは、上述した発明に係る電子機器保持用ソケットに電子機器として紫外線検出器を保持させて構成され、前記紫外線検出器における前記筐体内に挿入される部分の外壁面に前記収容部が設けられているものである。
【発明の効果】
【００１１】
本発明に係る電子部品保持用ソケットに装着できる電子機器は、前記突起部が挿入される収容部が形成されているもののみとなる。したがって、本発明によれば、同一の電極配置をもつ電子機器であっても、挿入可能、不可能の区別ができる電子機器保持用ソケットを提供することができる。
【図面の簡単な説明】
【００１２】
【図１】本発明に係る電子機器保持用ソケットを備えた火炎センサの平面図である。
【図２】火炎センサの分解状態を示す平面図である。
【図３】紫外線検出器の先端部を拡大して示す背面図である。
【図４】ソケットの開口部を拡大して示す正面図である。
【図５】ソケットに紫外線センサを挿入するときの状態を示す斜視図である。
【発明を実施するための形態】
【００１３】
以下、本発明に係る電子機器保持用ソケットおよび火炎センサの一実施例を図１〜図５によって詳細に説明する。
図１に示す火炎センサ１は、加熱炉（図示せず）のバーナーの炎の有無を検出するためのもので、本発明に係る電子機器保持用ソケット２と、このソケット２に装着された紫外線検出器３とによって構成されている。この実施の形態においては、この紫外線検出器３によって本発明でいう「電子機器」が構成されている。この火炎センサ１は、加熱炉に設けられた筒体４の一端部に取付けた状態で使用される。火炎センサ１を筒体４に取付けるに当たっては、紫外線検出器３が筒体４内に挿入されるように行う。
【００１４】
この筒体４は、前記バーナーを指向するように加熱炉の壁に設けられている。すなわち、この火炎センサ１は、筒体４を通してバーナーの炎を検出する。
前記紫外線検出器３は、図２に示すように、円柱状の本体５の一端部５ａが受光部となるにように形成されている。前記本体５の他端部５ｂには、図３に示すように、ピン状の２本の電極端子６，６と、１本の位置決めピン７とが突設されている。これらの電極端子６と位置決めピン７とは、それぞれ本体５の長手方向と平行に延びている。
【００１５】
前記本体５の他端部５ｂであって外周部には、図３および図５に示すように、複数の凹溝８が形成されている。これらの凹溝８は、本体５の先端面５ｃから本体５の前記一端部５ａに向けて所定の長さだけ延びるように形成されている。また、本体５の前記先端面５ｃには、図３に示すように、長方形の開口を有する穴９が形成されている。この穴９は、２本の電極端子６，６の間に形成されている。また、この穴９は、前記本体５の長手方向に所定の深さを有するように形成されている。この実施の形態においては、前記複数の凹溝８と前記穴９とによって、本発明でいう「収容部」が構成されている。
【００１６】
前記電子機器保持用ソケット２は、図１に示すように、前記紫外線検出器３を保持する筐体１１と、この筐体１１を前記筒体４に固定するためのナット部材１２と、前記紫外線検出器３の電極端子６が接続される導電部１３と、前記筐体１１の内と外、とりわけ図中左端から右端への通流を遮断し、これを気密に封止するための封止部材として作用するパッキン１４とを備えている。
前記筐体１１は、図２に示すように、前記紫外線検出器３が接続される保持部材１５と、この保持部材１５を覆う筒状部材１６とによって構成されている。
【００１７】
前記保持部材１５は、耐熱性と絶縁性とを有するプラスチックによって所定の形状に形成されている。この保持部材１５の一端部には、紫外線検出器３が嵌合する凹部１７が形成されている。この凹部１７には、前記紫外線検出器３の電極端子６が位置する端部が挿入される。この凹部１７は、保持部材１５の一端部を構成する有底円筒体１８によって形成されている。
【００１８】
前記凹部１７の開口部であって内周部には、図４に示すように、第１〜第４の突起２１〜２４が設けられている。これらの突起２１〜２４は、前記有底円筒体１８の周方向に互いに離間する位置に形成されている。この実施の形態による第１〜第４の突起２１〜２４は、前記凹部１７を開口側から見て回転対称とはならない位置に設けられている。この実施の形態においては、図４に示すように、有底円筒体１８の軸心から第１の突起２１を通って延びる仮想線Ｌ１（図４参照）と、前記軸心から第２の突起２２を通って延びる仮想線Ｌ２とがなす角度θ１は、１００°に設定されている。また、他の二つの突起２３，２４を通る仮想線Ｌ３，Ｌ４とがなす角度θ２は、７０°に設定されている。
【００１９】
前記紫外線検出器３の外周部に形成されている複数の凹溝８は、これら第１〜第４の突起２１〜２４と対応する位置に形成されている。これらの凹溝８の溝幅と長手方向の長さは、第１〜第４の突起２１〜２４が嵌合できるように形成されている。
前記凹部１７の底部には、図４に示すように、二種類の孔２５，2６が穿設されているとともに、板状の突起２７が突設されている。
【００２０】
二種類の孔２５，２６のうち、二つある一方の孔２５には、前記電極端子６が挿入され、他方の孔２６には位置決めピン７が挿入される。前記電極端子６が挿入される孔２５の内部には、後述する導電部１３の接触式コネクタ２７（図２参照）が設けられている。すなわち、紫外線検出器３の電極端子６は、前記孔２５に挿入されることによって、接触式コネクタ２８に接続される。
【００２１】
前記板状の突起２７は、前記電極端子６が挿入される二つの孔２５，２５どうしの間に位置付けられている。この突起２７は、図４に示すように、凹部１７の底の中心から径方向の一方に偏倚した位置に形成されている。前記紫外線検出器３の先端面５ｃの四角形の穴９は、前記板状の突起２７が遊嵌状態で挿入できる大きさに形成されている。
この実施の形態においては、前記第１〜第４の突起２１〜２４と、前記板状の突起２７とによって、本発明でいう「突起部」が構成されている。
【００２２】
前記保持部材１５の長手方向（図２においては左右方向）の中央部には、図２に示すように、導電部１３の取付用プレート３１を支持するための端子台３２が設けられている。保持部材１５の他端部には、この保持部材１５を後述する筒状部材１６に取付けるための取付座３３が一体に形成されている。この取付座３３は、パッキン１４を筒状部材１６の隔壁３４と協働して挟むためのものである。取付座３３は、図示していない固定用ボルトによって前記隔壁３４に固定される。
【００２３】
前記導電部１３は、図２に示すように、紫外線検出器３の電極端子６に接続される前記接触式コネクタ２８と、この接触式コネクタ２８に接続された前記固定用プレート３１と、この固定用プレート３１に固定用ボルト３５によって取付けられた圧着端子３６と、この圧着端子３６に接続されたケーブル３７とによって構成されている。
これらの接触式コネクタ２８と、固定用プレート３１と、圧着端子３６およびケーブル３７とは、紫外線検出器３の複数の電極端子６と対応させて２組装備されている。
前記ケーブル３７は、取付座３３とパッキン１４および前記隔壁３４とを貫通して筐体１１の外に導出されている。
【００２４】
このように構成された電子機器保持用ソケット２に紫外線検出器３を装着するためには、紫外線検出器３の一端部５ｂをソケット２の凹部１７に挿入することによって行う。このとき、紫外線検出器３の凹溝８にソケット２側の第１〜第４の突起２１〜２４が挿入されるように、紫外線検出器３をその軸線（長手方向に延びる中心線）回りに回して挿入位置を決める。
【００２５】
凹部１７内に挿入された紫外線検出器３が凹部１７の底まで進むことによって、電極端子６，６と位置決めピン７とが保持部材１５の孔２５，２６にそれぞれ挿入される。また、このときには、保持部材１５の板状の突起２７が紫外線検出器３の長方形の穴９に挿入される。なお、このソケット２に前記凹溝８が形成されていない他の型式の紫外線検出器が挿入された場合は、第１〜第４の突起２１〜２４が紫外線検出器の外周部に当接し、それ以上の挿入方向への移動を規制する。
【００２６】
このため、この実施の形態による電子部品保持用ソケット２に装着できる紫外線検出器３は、前記凹溝８と前記長方形の穴９とが形成されているもののみとなる。したがって、この実施の形態によれば、同一の電極配置をもつ紫外線検出器であっても、挿入可能、不可能の区別をすることが可能な電子機器保持用ソケット２を提供することができる。
【００２７】
この実施の形態による前記突起部は、凹部１７の内周部に設けられた第１〜第４の突起２１〜２４と、凹部１７の底に設けられた板状の突起２７とによって構成されている。しかし、前記突起部は、第１〜第４の突起２１〜２４と板状の突起２７とのうちいずれか一方のみだけ、例えば板状の突起２７を設けずに、第１〜第４の突起２１〜２４のみ設けて構成してもよく、また、いずれか１つの突起を設けることにより、あるいは２以上の突起を組み合わせて設けることにより構成することができる。
【００２８】
また、上記の記載から明らかに理解されるように、凹部１７の内周部に設けられる突起の数は第１〜第４の計４つに限られるものではなく、適宜な数を設ければよい。
前記突起部を第１〜第４の突起２１〜２４のみによって構成する場合は、紫外線検出器３を装着する操作を簡単に行うことが可能な電子機器保持用ソケット２を提供することができる。これは、第１〜第４の突起２１〜２４が挿入される複数の凹溝８が紫外線検出器３の外周部に設けられ、これらの凹溝８の位置を目視で確認しながら紫外線検出器３を凹部１７内に挿入することができるからである。
【００２９】
前記突起部を前記板状の突起２７のみによって構成する場合は、この突起２７を紫外線検出器３の２本の電極端子６，６どうしの間に臨むように形成することによって、電極端子６，６間の沿面距離を長く形成することができる。このため、この場合は、ソケット２に装着可能な紫外線検出器３を区別できる構成を採りながら、絶縁性に優れた電子機器保持用ソケット２を提供することができる。
【００３０】
図１〜図５に示した実施の形態による第１〜第４の突起２１〜２４は、前記凹部１７を開口側から見て回転対称とはならない位置に設けられている。このため、第１〜第４の突起２１〜２４と凹溝８とによって紫外線検出器３をソケット２に位置決めすることができる。すなわち、紫外線検出器３の複数の電極端子６が導電部１３の接触式コネクタ２８に正しく挿入されるように、紫外線検出器３の軸線（長手方向に延びる中心線）を中心として回転する方向の位置を正確に決めることができる。したがって、この実施の形態によれば、紫外線検出器３が常に正しく接続される電子機器保持用ソケット２を提供することができる。
【００３１】
この実施の形態による前記凹部１７には、紫外線検出器３の２本の電極端子６，６が挿入される孔２５，２５が設けられている。これらの孔２５は、前記紫外線検出器３とは異なる型式の紫外線検出器、すなわち凹溝８や穴９が形成されていない紫外線検出器と互換性を有する位置に配設されている。
このため、この実施の形態による前記ソケット２に装着可能な紫外線検出器３は、前記他の型式の紫外線検出器を装着する他の型式のソケット（前記突起部が設けられていないソケット）にも装着することができる。
【００３２】
この実施の形態による火炎センサ１は、前記電子機器保持用ソケット２に電子機器として紫外線検出器３を保持させて構成されている。前記紫外線検出器３における前記筐体１１内に挿入される部分の外壁面には、前記収容部（凹溝８と長方形の穴９）が設けられている。
このため、この実施の形態によれば、紫外線検出器３の挿入可能、不可能の区別が可能な火炎センサ１を提供することができる。
【符号の説明】
【００３３】
１…火炎センサ、２…電子機器保持用ソケット、３…紫外線検出器、６…電極端子、７…位置決めピン、９…穴、１１…筐体、１５…保持部材、１６…筒状部材、１７…凹部、２１〜２４…第１〜第４の突起、２５，２６…孔、２７…板状の突起。
【図１】
2012079452.tif 000003
【図２】
2012079452.tif 000004
【図３】
2012079452.tif 000005
【図４】
2012079452.tif 000006
【図５】
2012079452.tif 000007